(57)【要約】【課題】  変圧器準位駆動回路の提供。【解決手段】  変圧器準位駆動回路において、  制御ユニットであって、低電圧電力の入力を受けて第１、２位相信号波形を出力する、上記制御ユニットと、  中電圧駆動回路であって、フローティング準位ユニットと中電圧電力の入力を受ける駆動ユニットを具え、該駆動ユニットが二つのｎ型半導体で組成され、第１ｎ型半導体は第１位相信号により開閉制御を行ない、第２ｎ型半導体は第２位相信号により開閉制御を行ない、且つ第１、２ｎ型半導体は異なる時間差で開閉動作し、該フローティング準位ユニットに電圧フローティング準位を出力させる、上記中電圧駆動回路と、  を具えたことを特徴とする。【選択図】        図３
2005312288.tif 000002
【特許請求の範囲】
【請求項１】
変圧器準位駆動回路において、
制御ユニットであって、低電圧電力の入力を受けて第１、２位相信号波形を出力する、上記制御ユニットと、
中電圧駆動回路であって、フローティング準位ユニットと中電圧電力の入力を受ける駆動ユニットを具え、該駆動ユニットが二つのｎ型半導体で組成され、第１ｎ型半導体は第１位相信号により開閉制御を行ない、第２ｎ型半導体は第２位相信号により開閉制御を行ない、且つ第１、２ｎ型半導体は異なる時間差で開閉動作し、該フローティング準位ユニットに電圧フローティング準位を出力させる、上記中電圧駆動回路と、
を具えたことを特徴とする、変圧器準位駆動回路。
【請求項２】
請求項１記載の変圧器準位駆動回路において、制御ユニットが相反する位相の第１、第２位相信号波形を出力することを特徴とする、変圧器準位駆動回路。
【請求項３】
請求項２記載の変圧器準位駆動回路において、第１、２位相信号波形が時間差を有することを特徴とする、変圧器準位駆動回路。
【請求項４】
請求項１記載の変圧器準位駆動回路において、制御ユニットが出力する第１、２位相信号が波形変換ユニットにより波形位相変換されることを特徴とする、変圧器準位駆動回路。
【請求項５】
請求項４記載の変圧器準位駆動回路において、波形変換ユニットが第１、２位相信号変換器で第１、２位相信号を提供して、波形位相変換を行なうことを特徴とする、変圧器準位駆動回路。
【請求項６】
請求項５記載の変圧器準位駆動回路において、第１、２位相信号波形が二つの正相信号波形とされ、且つ、第１、２位相変換器がインバータとコンバータとされることを特徴とする、変圧器準位駆動回路。
【請求項７】
請求項５記載の変圧器準位駆動回路において、第１、２位相信号波形が正相信号波形と逆相信号波形とされ、且つ第１、２位相変換器が二つのインバータとされたことを特徴とする、変圧器準位駆動回路。
【請求項８】
請求項５記載の変圧器準位駆動回路において、第１、２位相信号波形が二つの逆相信号波形とされ、且つ第１、２位相変換器がコンバータとインバータ（２３５）とされることを特徴とする、変圧器準位駆動回路。
【請求項９】
請求項５記載の変圧器準位駆動回路において、第１、２位相信号波形が波形位相変換と同時に形成する第１、２位相信号波形に時間差があることを特徴とする、変圧器準位駆動回路。
【発明の詳細な説明】
【技術分野】
【０００１】
本発明は一種の変圧器準位駆動回路に係り、特に中電圧システムの駆動に用いられる駆動回路に関する。
【背景技術】
【０００２】
現在市販されているノートブック型コンピュータ、ＰＤＡ、ウェブパッドに用いられている液晶ディスプレイ（ＬＣＤ）は、いずれも駆動装置を利用して高電圧を出力し、セラミック変圧器或いはコイル変圧器を通して冷陰極ランプ（ＣＣＦＬ）を点灯させている。以下は周知の駆動装置についての説明である。
【０００３】
図１、２を参照されたい。電力ユニット１４を利用し電力を制御ユニット１０と駆動ユニット１３に入力し、制御ユニット１０は二つの正相信号波形１１、１２を出力して駆動ユニット１３の動作を制御し、駆動ユニット１３はｐ型半導体（ｐ−ＭＯＳＦＥＴ）１３１とｎ型半導体（ｎ−ＭＯＳＦＥＴ）１３２で構成され、即ちプッシュプル式増幅器（ｐｕｓｈ−ｐｕｌｌ  ａｍｐｌｉｆｉｅｒ）であり、制御ユニット１０が出力する正相信号波形１１がｐ型半導体１３１を駆動する時、ｐ型半導体１３１は正相信号波形１１の下縁部分で導通し、もう一つの正相信号波形１２はｎ型半導体１３２を駆動し、ｎ型半導体１３２は正相信号波形１２の上縁部分で導通し、これにより駆動ユニット１３はｐ型半導体１３１及びｎ型半導体１３２の動作下で、中電圧準位を出力してインダクタ１５とセラミック変圧器１６を駆動し、これにより、冷陰極ランプ１７を点灯させる。前述の正相信号波形１１、１２の間には時間差、即ち、停止時間（Ｄｅａｄ  ｔｉｍｅ）１１１があり（図２参照）、停止時間１１１の目的は、ｐ型半導体１３１とｎ型半導体１３２が共に導通する時に発生するオーバーショートがｐ型半導体１３１及びｎ型半導体１３２の焼損を引き起こすのを防止することにある。
【０００４】
前述のｐ型半導体１３１は正孔流特性を有し、ｎ型半導体１３２は電子流特性を有する。電子流の発生するエネルギーは正孔流のエネルギー量の３倍に等しく、ゆえに一つのｎ型半導体１３２の使用は三つのｐ型半導体１３１の使用に等しく、ゆえにハイパワーでセラミック変圧器１６と冷陰極ランプ１７を駆動する時に、価格の非常に高いｐ型半導体１３１を使用して駆動回路を製造すると、大きなコストがかかる。
【発明の開示】
【発明が解決しようとする課題】
【０００５】
本発明の主要な目的は、ｎ型半導体をｐ型半導体の代わりに用いた変圧器準位駆動回路を提供することにある。
【課題を解決するための手段】
【０００６】
請求項１の発明は、変圧器準位駆動回路において、
制御ユニットであって、低電圧電力の入力を受けて第１、２位相信号波形を出力する、上記制御ユニットと、
中電圧駆動回路であって、フローティング準位ユニットと中電圧電力の入力を受ける駆動ユニットを具え、該駆動ユニットが二つのｎ型半導体で組成され、第１ｎ型半導体は第１位相信号により開閉制御を行ない、第２ｎ型半導体は第２位相信号により開閉制御を行ない、且つ第１、２ｎ型半導体は異なる時間差で開閉動作し、該フローティング準位ユニットに電圧フローティング準位を出力させる、上記中電圧駆動回路と、
を具えたことを特徴とする、変圧器準位駆動回路としている。
請求項２の発明は、請求項１記載の変圧器準位駆動回路において、制御ユニットが相反する位相の第１、第２位相信号波形を出力することを特徴とする、変圧器準位駆動回路としている。
請求項３の発明は、請求項２記載の変圧器準位駆動回路において、第１、２位相信号波形が時間差を有することを特徴とする、変圧器準位駆動回路としている。
請求項４の発明は、請求項１記載の変圧器準位駆動回路において、制御ユニットが出力する第１、２位相信号が波形変換ユニットにより波形位相変換されることを特徴とする、変圧器準位駆動回路としている。
請求項５の発明は、請求項４記載の変圧器準位駆動回路において、波形変換ユニットが第１、２位相信号変換器で第１、２位相信号を提供して、波形位相変換を行なうことを特徴とする、変圧器準位駆動回路としている。
請求項６の発明は、請求項５記載の変圧器準位駆動回路において、第１、２位相信号波形が二つの正相信号波形とされ、且つ、第１、２位相変換器がインバータとコンバータとされることを特徴とする、変圧器準位駆動回路としている。
請求項７の発明は、請求項５記載の変圧器準位駆動回路において、第１、２位相信号波形が正相信号波形と逆相信号波形とされ、且つ第１、２位相変換器が二つのインバータとされたことを特徴とする、変圧器準位駆動回路としている。
請求項８の発明は、請求項５記載の変圧器準位駆動回路において、第１、２位相信号波形が二つの逆相信号波形とされ、且つ第１、２位相変換器がコンバータとインバータ（２３５）とされることを特徴とする、変圧器準位駆動回路としている。
請求項９の発明は、請求項５記載の変圧器準位駆動回路において、第１、２位相信号波形が波形位相変換と同時に形成する第１、２位相信号波形に時間差があることを特徴とする、変圧器準位駆動回路としている。
【発明の効果】
【０００７】
本発明の変圧器準位駆動回路は、制御ユニットと中電圧駆動回路を具え、制御ユニットが共振周波数で二つの位相信号波形を出力し、中電圧駆動回路はフローティング準位ユニットと中電圧電力入力を受ける駆動ユニットを具え、そのうち、駆動ユニットは二つのｎ型半導体で組成され、第１ｎ型半導体は第１位相信号により開閉制御を行ない、第２ｎ型半導体は第２位相信号により開閉制御を行ない、且つ第１、２ｎ型半導体は異なる時間差で開閉動作し、該フローティング準位ユニットに電圧フローティング準位を出力させる。並びに駆動ユニットを利用して異なる時間差で開閉動作することで、フローティング準位ユニットに電圧フローティング準位を出力させ、これにより変圧器準位駆動回路に低電圧準位で中電圧システムを駆動する目的を達成させる。
【発明を実施するための最良の形態】
【０００８】
図３、４に示されるように、本発明の変圧器準位駆動回路は、制御ユニット２０、波形変換ユニット２３、中電圧駆動回路２４を具えている。
【０００９】
該制御ユニット２０は電力ユニット２５の入力する低電圧電力を受け、並びに共振周波数を生成して第１、２位相信号波形２１、２２（二つの正相信号波形）を出力する。
【００１０】
該波形変換ユニット２３は、インバータ２３０とコンバータ２３１により上述の二つの正相の位相信号波形（第１、２位相信号波形２１、２２）に対して波形位相変換を行ない、正相の第１位相信号波形２１をインバータ２３０で第１位相信号２１０に変換し（図４）、もう一つの正相の第２位相信号波形２２を遅延させて第２位相信号２２０に変換する（図４）。変換後の第１、２位相信号２１０、２２０は前述の正相の第１、２信号波形２１、２２に僅かな時間遅れるだけであり、このため、前述の第１位相信号２１０と第２位相信号２２０の間に時間差、即ち停止時間（ｄｅａｄ  ｔｉｍｅ）２１３（図４）がある。
【００１１】
該中電圧駆動回路２４は、フローティング準位ユニット２４０と中電圧電力の入力を受ける駆動ユニット２４１を具え、該駆動ユニット２４１は二つのｎ型半導体２４２、２４３で組成され、第１ｎ型半導体２４２は変換後の第１位相信号２１０により開閉制御を行ない、第２ｎ型半導体２４３は変換後の第２位相信号２２０により開閉制御を行ない、且つ第１、２ｎ型半導体２４２、２４３は異なる時間差で開閉動作し、該フローティング準位ユニット２４０の出力端２４４に電圧フローティング準位を出力させて、インダクタ２６とセラミック変圧器２７の駆動に供し、これにより冷陰極ランプ２８を点灯させる。前述の停止時間２１３の目的は、第１ｎ型半導体２４２と第２ｎ型半導体２４３が共に導通する時、その瞬間に発生するオーバーショートが焼損の状況を発生するのを防止することにある。これにより停止時間２１３がｎ型半導体２４２、２４３の同時動作の状況を緩衝する。
【実施例１】
【００１２】
図５は本発明の第１実施例を示す。制御ユニット２０が電力ユニット２５の入力する低電圧電力を受け取り、並びに共振周波数を発生して正相信号波形２１ａと逆相信号波形２２ａを出力する時、波形変換ユニット２３は二つのインバータ２３２、２３３により変換と遅延を行ない、正相信号波形２１ａがインバータ２３２により第１位相信号２１１に変換され、もう一つの逆相信号波形２２ａがもう一つのインバータ２３３により第２位相信号２２１に変換される（この第１、２位相信号２１１、２２１の負荷駆動の過程は上述したとおりであるため、重複した説明は省略する）。
【実施例２】
【００１３】
図６は本発明の第２実施例を示す。制御ユニット２０が電力ユニット２５の入力する低電圧電力を受け取り、並びに共振周波数を発生して逆相信号波形２１ｂ、２２ｂを出力する時、波形変換ユニット２３は一つのコンバータ２３４及びインバータ２３５により変換と遅延を行ない、逆相信号波形２１ｂはコンバータ２３４により第１位相信号２１２に変換され、もう一つの逆相信号波形２２ｂはインバータ２３５により第２位相信号２２２に変換される（この第１、２位相信号２１２、２２２の負荷駆動の過程は上述したとおりであるため、重複した説明は省略する）。
【実施例３】
【００１４】
図７は本発明の第３実施例を示す。制御ユニット２０が電力ユニット２５の入力する低電圧電力を受け取り、並びに共振周波数を発生して二つの位相が半単で且つ時間差を有する信号波形２１ｃ、２２ｃを出力する時、このとき、波形変換ユニットは必要でなく、直接第１ｎ型半導体２４２と第２ｎ型半導体２４３を駆動でき、同様にフローティング準位ユニット２４０の出力端２４４に電圧フローティング準位を出力させて、インダクタ２６とセラミック変圧器２７を駆動して冷陰極ランプ２８を点灯させる。
【００１５】
以上の実施例はいずれもセラミック変圧器２７を実施例として説明しているが、本発明はまたコイル変圧器にも実施可能であり、その回路原理及び機能は同じであるため詳細な説明は省略する。
【図面の簡単な説明】
【００１６】
【図１】周知の冷陰極ランプ駆動のブロック図である。
【図２】周知の駆動波形表示図である。
【図３】本発明のブロック図である。
【図４】本発明の駆動波形表示図である。
【図５】本発明の第１実施例図である。
【図６】本発明の第２実施例図である。
【図７】本発明の第３実施例図である。
【符号の説明】
【００１７】
１０  制御ユニット
１１、１２  正相信号波形
１１１  停止時間
１３  駆動ユニット
１３１  ｐ型半導体
１３２  ｎ型半導体
１４  電力ユニット
１５  インダクタ
１６  セラミック変圧器
１７  冷陰極ランプ
２０  制御ユニット
２１  第１位相信号波形
２１ａ  正相信号波形
２１ｂ、２２ｂ  逆相信号波形
２１０  第１位相信号
２１１  第１位相信号
２１２  第１位相信号
２１３  停止時間
２２  第２位相信号波形
２２ａ  逆相信号波形
２２０  第２位相信号
２２１  第２位相信号
２２２  第２位相信号
２３  波形変換ユニット
２３０  インバータ
２３１  コンバータ
２３２、２３３  インバータ
２３４  コンバータ
２３５  インバータ
２４  中電圧駆動回路
２４０  フローティング準位ユニット
２４１  駆動ユニット
２４２、２４３  ｎ型半導体
２５  電力ユニット
２６  インダクタ
２７  セラミック変圧器
２８  冷陰極ランプ
【図１】
2005312288.tif 000003
【図２】
2005312288.tif 000004
【図３】
2005312288.tif 000005
【図４】
2005312288.tif 000006
【図５】
2005312288.tif 000007
【図６】
2005312288.tif 000008
【図７】
2005312288.tif 000009